(57)【要約】  【課題】  複数のｆｓ周波数でサンプリングされたデジタルＡｕｄｉｏデータを再生するために必要な各々に対応した高精度のマスタクロックは、単一周波数の水晶発振器だけでは生成できない。  【解決手段】  本発明では、携帯端末装置に最低限必要とされるシステムクロックから容易に生成可能なマスタクロックに合わせてデジタルＡｕｄｉｏデータのｆｓ周波数を変換して再生するものである。【選択図】  図１
2005151486.tif 000002
【特許請求の範囲】
【請求項１】
音楽データを再生可能な通信端末装置において、
音楽データを再生する再生部と、
システムクロックを発生する発振部と、
音楽データのサンプリング周波数を、前記システムクロックの周波数で再生可能な周波数に変換する周波数変換部と、
を有することを特徴とする通信端末装置。
【請求項２】
請求項１記載の通信端末装置において、
前記音楽データを再生するためのマスタクロックを、前記システムクロックから生成する生成部を有し、
前記周波数変換部は、音楽データのサンプリング周波数を、前記マスタクロックの周波数で再生可能な周波数に変換することを特徴とする通信端末装置。
【請求項３】
携帯電話を構成する各種ＬＳＩを動作させるシステムクロックと、デジタルＡｕｄｉｏデータ再生に必要とされるマスタクロックを生成するマスタクロック生成部と、デジタルＡｕｄｉｏデータのサンプリング周波数を任意のサンプリング周波数に変換するサンプリング周波数変換部と、デジタルＡｕｄｉｏデータをアナログＡｕｄｉｏ信号に変換してスピーカに出力するデジタル−アナログ変換部と、デジタル−アナログ変換部とデジタルＡｕｄｉｏデータの受け渡しを行なうＡｕｄｉｏインタフェース部と、
デジタルＡｕｄｉｏデータのデジタル−アナログ変換部への出力や、アナログ−デジタル変換部からのデジタルＡｕｄｉｏデータの入力を行なうＡｕｄｉｏインタフェース部と、
スピーカと、キー入力部と、デジタルＡｕｄｉｏコンテンツを保存するメモリ部と、携帯端末装置を構成する各ＬＳＩの制御を行なう制御部を備え、
デジタルＡｕｄｉｏコンテンツは、少なくともサンプリング周波数情報と圧縮フォーマット情報とデータ長情報から構成されるヘッダ情報部と、データ格納部によって構成され、データ格納部にはデジタルＡｕｄｉｏデータが書き込まれており、
ユーザーより選択されたデジタルＡｕｄｉｏコンテンツがメモリ部から読み出されると、制御部はヘッダ情報部内のサンプリング周波数情報を読み取り、サンプリング周波数変換部はデータ格納部に書き込まれているデジタルＡｕｄｉｏデータのサンプリング周波数を、システムクロックを源振として生成可能なマスタクロックによって再生が可能なサンプリング周波数に変換を行い、前記サンプリング周波数に変換されたデジタルＡｕｄｉｏデータを再生するために、システムクロックから生成されたサンプリング周波数に変換されたデジタルＡｕｄｉｏデータを再生するためのマスタクロックをマスタクロック生成部によって生成し、前記サンプリング周波数に変換されたデジタルＡｕｄｉｏデータは、前記マスタクロックを基準クロックとしてＡｕｄｉｏインタフェース部よりデジタル−アナログ変換部に転送されてアナログＡｕｄｉｏ信号に変換され、スピーカより再生する事を特徴とする携帯端末装置
【請求項４】
音楽データを再生する再生部と、
システムクロックを発生する発振部と、
音楽データのサンプリング周波数を、前記システムクロックの周波数で再生可能な周波数に変換する周波数変換部と、
を有することを特徴とする再生装置。
【請求項５】
請求項４記載の再生装置において、
前記音楽データを再生するためのマスタクロックを、前記システムクロックから生成する生成部を有し、
前記周波数変換部は、音楽データのサンプリング周波数を、前記マスタクロックの周波数で再生可能な周波数に変換することを特徴とする再生装置。
【発明の詳細な説明】
【技術分野】
【０００１】
本発明は、音楽データ、音声データ等の再生が可能な装置に関する。
【背景技術】
【０００２】
従来、通話用の音声ｃｏｄｅｃで着信メロディの再生を行なうために、着信メロディのサンプリング周波数を通話用の音声ｃｏｄｅｃのサンプリング周波数に変換して再生する楽音再生装置に関する手法が提案されていた（例えば、特許文献１参照）。
【０００３】
【特許文献１】特開２００２−１２３２５７号公報（第５頁、第３図）
【発明の開示】
【発明が解決しようとする課題】
【０００４】
しかしながら、上記特許文献１においては、音声ｃｏｄｅｃによる音声の再生は記載されているが、それ以外の様々なサンプリング周波数（以下、「ｆｓ周波数」という。）の音楽データ、音声データを再生することは記載されていなかった。
【０００５】
例えば、音楽データ、音声データのｆｓ周波数には、１６ｋＨｚ、２２．０５ｋＨｚ、２４ｋＨｚ等のｆｓ周波数があり、これらのｆｓ周波数の音楽データ、音声データを再生するためには、それぞれのｆｓ周波数で再生可能なマスタクロック（一般的にはｆｓ周波数の５１２倍／２５６倍／１２８倍／６４倍の、いずれかのクロック）を生成する必要があるが、この場合にはコストアップや部品点数増加により携帯本体が大きくなってしまい、問題である。また、１つのクロックから上記ｆｓ周波数にあったマスタクロックを生成しようとすると、非常に高い周波数の水晶発振器が必要となるが、携帯電話や地上波デジタルテレビ放送受信機の高周波部へのノイズ等の影響が懸念され、使い勝手が悪い。さらに、携帯電話や地上波デジタルテレビ放送受信機のシステムクロックは音楽再生を考慮した周波数には設定されていないため、現状のシステムクロックでは、非常に高い精度のマスタクロックが生成できるとは限らない。
【０００６】
本願発明は、上記問題を解決し、使い勝手の良い装置を提供することを目的とする。
【課題を解決するための手段】
【０００７】
上記目的を達成するため、本願発明は、音声データを再生可能な通信端末装置において、  音声データを再生する再生部と、システムクロックを発生する発振部と、音声データのサンプリング周波数を、前記システムクロックの周波数で再生可能な周波数に変換する周波数変換部と、を有することを特徴とする。
【０００８】
本発明では、携帯端末装置でデジタルＡｕｄｉｏデータを再生する際に、デジタルＡｕｄｉｏデータのｆｓ周波数に合わせたマスタクロックを生成して再生するのではなく、携帯端末装置に最低限必要とされるシステムクロックを用いて、システムクロックから容易に生成可能なクロック周波数をマスタクロックとして生成し、デジタルＡｕｄｉｏデータのｆｓ周波数をシステムクロックから生成されたマスタクロックで再生が可能なｆｓ周波数へ変換して再生する方法である。
【０００９】
制御部は、再生するデジタルＡｕｄｉｏデータのヘッダ情報からｆｓ周波数情報を読み取る。ｆｓ周波数変換部はデジタルＡｕｄｉｏデータのｆｓ周波数をシステムクロックから再生可能なｆｓ周波数に変換する。マスタクロック生成部は、変換後のｆｓ周波数に対して３２の倍数のシステムクロックを生成する。ｆｓ周波数変換されたデジタルＡｕｄｉｏデータは、マスタクロックにタイミング制御されてＡｕｄｉｏインタフェースからデジタル−アナログ変換部に出力され、アナログＡｕｄｉｏ信号に変換されたのち、スピーカより出力される。
【発明の効果】
【００１０】
本願発明によれば、使い勝手の良い携帯電話を提供することが可能になる。
【発明を実施するための最良の形態】
【００１１】
本発明の実施の形態を図面を用いて説明する。なお、本実施の形態では、携帯端末装置として、携帯電話機を例に説明する。
【００１２】
図１は本発明の第１の実施の形態、及び第２の実施の形態を示す携帯電話機のブロック構成図である。
【００１３】
携帯電話機は、電波の送受信及び高周波の電気信号への変換を行なうアンテナ１と、高周波信号に対する変調・復調処理を行なう無線部２と、無線通信あるいは、様々なアプリケーションの実行や、各ＬＳＩの制御を管理する制御部３と、各種データやプログラムの格納と、アプリケーション実行時の作業領域としてのメモリ部４と、数字キーや十字カーソルキー等のキー入力部５と、携帯電話機の各種ＬＳＩを動作させるための基本動作クロックとしてシステムクロック６を備える。このシステムクロックには、主に水晶発振器が用いられ、およそ２０ＭＨｚ程度のクロックが用いられる事が多い。更に、音楽を再生するために、デジタルＡｕｄｉｏデータをアナログＡｕｄｉｏ信号に変換するためのステレオ対応のデジタル−アナログ変換部７と、デジタル−アナログ変換部７によって変換されたアナログＡｕｄｉｏ信号を出力するステレオ対応のスピーカ８を備える。ここでは、デジタル−アナログ変換部７とスピーカ８は、各々ステレオ対応としているが、モノラル対応のデジタル−アナログ変換部７とスピーカ８でも構わない。また、ステレオ対応のデジタル−アナログ変換部７とスピーカ８でモノラルのデジタルＡｕｄｉｏデータ再生や、モノラル対応のデジタル−アナログ変換部７とスピーカ８でステレオのデジタルＡｕｄｉｏデータ再生を行なっても構わない。
【００１４】
更に、システムクロックを元に、デジタルＡｕｄｉｏデータを前記デジタル−アナログ変換部７に出力するためのクロックを生成したり、ｆｓ周波数変換を行なうためのクロック生成したりするためのマスタクロック生成部１０と、デジタルＡｕｄｉｏデータのｆｓ周波数を変更するｆｓ周波数変換部１１と、デジタルＡｕｄｉｏデータを前記デジタル−アナログ変換部７に出力するためのＡｕｄｉｏインタフェース部１２を備える。
【００１５】
更に、図中では省略したが、デジタルＡｕｄｉｏコンテンツ選択時のコンテンツ一覧や、再生中における再生時間表示や歌詞等の文字情報を表示するための表示部が備わっている。
【００１６】
図２は本発明の第１の実施の形態、及び第２の実施の形態を示す携帯電話機における、デジタルＡｕｄｉｏコンテンツの概略構成図と、ｆｓ周波数変換した場合のデジタルＡｕｄｉｏデータ再生時の、Ａｕｄｉｏデータの流れを示す。
【００１７】
メモリ部４には、様々なＡｕｄｉｏ情報を備えるデジタルＡｕｄｉｏコンテンツ２０が、複数個格納されている。このデジタルＡｕｄｉｏコンテンツ２０は、ユーザー自身がキー入力部５によって入力して作成したり、無線通信手段によって網側よりダウンロードして入手したり、また、メールやメモリカード等を用いて他の携帯電話機間で交換したりする事で入手する事ができる。入手したデジタルＡｕｄｉｏコンテンツは携帯電話機内のメモリ部４に格納されており、再生時にメモリ部４から制御部３によって読み出され、デコード部１３によってデコードされる。
【００１８】
このデジタルＡｕｄｉｏコンテンツ２０は、大別して２種類の情報によって構成されている。１つは実際にデジタル−アナログ変換部７によってアナログＡｕｄｉｏ信号に変換されるデジタルＡｕｄｉｏデータ２２であり、もう１つはデジタルＡｕｄｉｏデータ２２を再生するために必要となる様々な識別情報をまとめたヘッダ情報２１である。このヘッダ情報２１も、デジタルＡｕｄｉｏデータ２２のｆｓ周波数を示すｆｓ周波数情報２３や、どの様な圧縮フォーマットで圧縮されたかを示す圧縮フォーマット情報２４、デジタルＡｕｄｉｏデータ２２のデータ長を示すデータ長情報２５等の様々な情報群から構成されており、再生する端末装置によって必要とされる情報が決まっていて、上記以外の、例えばステレオ／モノラル情報等の情報が追加される場合もある。
【００１９】
Ａｕｄｉｏインタフェース部１２とデジタル−アナログ変換部７はシリアルインタフェース３０によって接続される。シリアルインタフェース３０は、ＳＹＮＣ信号３１とＣＬＫ信号３２とＤａｔａ信号３３によって構成されている。ＳＹＮＣ信号３１はデジタル−アナログ変換部７で再生されるデジタルＡｕｄｉｏデータ２２のｆｓ周波数と同じクロック周期でＤｕｔｙ＝５０％の矩形波であり、ＳＹＮＣ信号３１の１周期で１サンプリング分のＬｃｈとＲｃｈのデータが転送される。ＣＬＫ信号３２は、転送されるデジタルＡｕｄｉｏデータに同期した、Ｄｕｔｙ＝５０％のクロックである。Ｄａｔａ信号３３は、ＳＹＮＣ信号３１とＣＬＫ信号３２に同期してデジタルＡｕｄｉｏデータ２２をデジタル−アナログ変換部７に転送する信号線である。Ｌｃｈ、及びＲｃｈの各々のデータサイズは、デジタル−アナログ変換部７の分解能によって決まる。
【００２０】
ｆｓ周波数変換部１１とＡｕｄｉｏインタフェース部１２にはｆｓ周波数変換処理やデジタルＡｕｄｉｏデータ２２転送処理を行なうためのマスタクロック３４の入力が必要となる。このマスタクロック３４は、通常、再生されるデジタルＡｕｄｉｏデータ２２のｆｓ周波数の６４倍／１２８倍／２５６倍／５１２倍のクロックが使用される。
【００２１】
図１と図２を用いて、本発明の動作説明を行なう。
【００２２】
先ず、本発明における動作条件を、次の様に設定する場合について説明する。システムクロックの発振周波数を１９．８ＭＨｚ、再生するためのデジタルＡｕｄｉｏデータのｆｓ周波数は１６ｋＨｚ／２２．０５ｋＨｚ／２４ｋＨｚで、ステレオデータとする。更に、デジタル−アナログ変換部７の分解能は１６ｂｉｔで、アナログ信号への変換が可能なｆｓ周波数範囲は、ｆｓ周波数＝８ｋＨｚ〜４４．１ｋＨｚとする。また、マスタクロックの倍率は特に限定しない。
【００２３】
始めに、従来の再生方法で、１９．８ＭＨｚのシステムクロックを用いてｆｓ周波数＝２２．０５ｋＨｚのデジタルＡｕｄｉｏデータを再生する方法について説明する。先ず、ｆｓ周波数２２．０５ｋＨｚのデジタルＡｕｄｉｏデータを再生する場合のマスタクロック３４を生成する必要があるが、マスタクロックを再生されるデジタルＡｕｄｉｏデータのｆｓ周波数の６４倍とすると１．４１１２ＭＨｚとなる。このマスタクロックをシステムクロックより作り出そうとすると、１９．８ＭＨｚのクロックを９８／１３７５倍しなければならないが、マスタクロック生成部の回路規模も大きくなり問題である。また、マスタクロック生成部の回路規模をある程度小さく抑える事を考えると、１／１４倍することで、１．４１４２８ＭＨｚのマスタクロックが生成可能となるが、この１．４１４２８ＭＨｚのマスタクロックから再生されるｆｓ周波数は２２．１ｋＨｚとなり、目標とするｆｓ周波数＝２２．０５ｋＨｚに対して０．２２％程度の誤差で収まる。
【００２４】
しかし、同様の方法を用いてｆｓ周波数＝１６ｋＨｚと２４ｋＨｚのデジタルＡｕｄｉｏデータを再生する場合では、各々のマスタクロックはシステムクロックの１２８／２４７５倍と６４／８２５倍となり、やはりマスタクロック生成部の回路規模が大きくなってしまう。マスタクロック生成部の回路規模をある程度小さく抑えようとすると、各々、１／１９倍と１／１３倍することで６４倍のｆｓ周波数に近似のクロックが生成可能となるが、誤差成分を多く含んでいるため、ｆｓ周波数＝１６ｋＨｚのデジタルＡｕｄｉｏデータの場合で再生可能なｆｓ周波数は１６．２８ｋＨｚとなり１．７６％もの誤差が生じ、ｖ２４ｋＨｚのデジタルＡｕｄｉｏデータの場合では再生可能なｆｓ周波数は２３．７９ｋＨｚとなり０．８４％もの誤差が生じてしまう。
【００２５】
この様な従来方法に対し、本発明では携帯電話でシステムクロックとして使用しているクロックから、容易に生成可能なマスタクロック３４を１種類に決めてしまい、このマスタクロック３４で再生が可能なｆｓ周波数にデジタルＡｕｄｉｏデータ２２のｆｓ周波数を変更する。
【００２６】
本実施の形態では、容易に使用可能なクロックは、１９．８ＭＨｚのシステムクロック６であり、このクロック周波数を用いてマスタクロック３４を生成する。本方法では自由にマスタクロック３４を生成する事ができるため、音質を良くしたければｆｓ周波数をいくらでも高くする事ができてしまうが、ｆｓ周波数変換後のデジタルＡｕｄｉｏデータ２２をアナログＡｕｄｉｏ信号に変換するためのデジタル−アナログ変換部７には、再生可能なｆｓ周波数範囲が決まっており、この範囲内で収まる最大のｆｓ周波数をｆｓ周波数変換後のｆｓ周波数とする必要がある。本実施の形態のデジタル−アナログ変換部７では、再生可能なｆｓ周波数範囲をｆｓ周波数＝８ｋＨｚ〜４４．１ｋＨｚとしているので、ｆｓ周波数変換可能なｆｓ周波数は最大４４．１ｋＨｚとなる。
【００２７】
次にｆｓ周波数変換を行なうためのマスタクロック３４のクロック周波数と、変換後のｆｓ周波数の決め方について説明する。ｆｓ周波数変換後のデジタルＡｕｄｉｏデータ２２のｆｓ周波数は最大ｆｓ周波数＝４４．１ｋＨｚとしたので、マスタクロック３４をｆｓ周波数の５１２倍とするとマスタクロック３４は最大２２．５７９２ＭＨｚとなる。このクロック周波数はシステムクロック６の１９．８ＭＨｚ以上であるので、システムクロック６をそのままマスタクロック３４に用いる事が可能である。従い、１９．８ＭＨｚのシステムクロック６をマスタクロック３４と仮定して、ｆｓ周波数を５１２倍と見なすと、再生可能なｆｓ周波数は３８．６７１８７５ｋＨｚとなる。
【００２８】
よって、マスタクロック３４をシステムクロック６の１９．８ＭＨｚ、マスタクロック３４の倍率を５１２倍として、ｆｓ周波数＝３８．７ｋＨｚのデジタルＡｕｄｉｏデータの再生を行なうものとする。
【００２９】
次に、図３を用いて、デジタルＡｕｄｉｏデータ２２をｆｓ周波数変換して、再生する方法について説明する。
【００３０】
デジタルＡｕｄｉｏデータ２２は、デジタルＡｕｄｉｏコンテンツ２０にヘッダ情報２１と一緒にまとめられ、メモリ部４に格納されている。このメモリ部４には、ユーザーが自作したコンテンツやインターネットよりダウンロードしたコンテンツ、或いは他のユーザーとメールやメモリカードの様な媒体で交換したコンテンツ等の、複数のデジタルＡｕｄｉｏコンテンツ２０が格納され、自由に書き込み読み出しができる。
【００３１】
ユーザーはキー入力部５より、再生したいデジタルＡｕｄｉｏコンテンツ２０を選択する（Ｓ１００）。入力されたキー情報は制御部３に通知される（Ｓ１０１）。制御部３はユーザーによって選択されたデジタルＡｕｄｉｏコンテンツ２０をメモリ部４より読み出し、ヘッダ情報２１よりデジタルＡｕｄｉｏデータ２２に関する、圧縮フォーマット情報２４と、ｆｓ周波数情報２３を抽出する（Ｓ１０２）。そして、マスタクロック生成部１０では、１９．８ＭＨｚのシステムクロック６を１逓倍し、１９．８ＭＨｚのマスタクロック３４としてｆｓ周波数変換部１１と、Ａｕｄｉｏインタフェース部１２に出力する（Ｓ１０３）。
【００３２】
制御部３は、抽出された圧縮フォーマット情報２４に対応するデコーダ１３でデジタルＡｕｄｉｏデータ２２をデコードする（Ｓ１０４）。デコードされたデジタルＡｕｄｉｏデータは、Ａｕｄｉｏインタフェース部１２よりデジタル−アナログ変換部７に転送される事になるが、抽出されたｆｓ周波数情報２３に格納されているｆｓ周波数情報がｆｓ周波数＝３８．７ｋＨｚでなかった場合（Ｓ１０５のＮｏ）、デコードされたデジタルＡｕｄｉｏデータは、ｆｓ周波数変換部１１によってｆｓ周波数が３８．７ｋＨｚのデジタルＡｕｄｉｏデータにｆｓ周波数変換してから（Ｓ１０６）、Ａｕｄｉｏインタフェース部１２よりデジタル−アナログ変換部７に転送される（Ｓ１０７）。
【００３３】
ここでは、ｆｓ周波数変換によって変換されたデジタルＡｕｄｉｏデータのｆｓ周波数＝３８．７ｋＨｚは、マスタクロック３４によって再生が可能になるｆｓ周波数＝３８．６７１８７５ｋＨｚの小数点以下１桁になるように四捨五入して決めたが、ｆｓ周波数変換部１１で精度良くｆｓ周波数変換を行なう事が可能であれば、小数点以下２桁以上のｆｓ周波数としても良い。小数点以下の桁数をより多く合わせる事ができれば、その分、再生時の誤差が少なくなる。
【００３４】
ｆｓ周波数を３８．７ｋＨｚにｆｓ周波数変換されたデジタルＡｕｄｉｏデータはマスタクロック３４によってＡｕｄｉｏインタフェース部１２でシリアルデータに変換され、ｆｓ周波数で１周期のＳＹＮＣ信号３１と、各１６ｂｉｔのＬｃｈデータとＲｃｈデータが交互に出力されるＤａｔａ信号３３と、Ｄａｔａ信号に同期したＳＹＮＣ信号３１で１周期に３２発のクロックが存在するＣＬＫ信号３２が、デジタル−アナログ変換部７に転送される。デジタル−アナログ変換部７で再生が可能なｆｓ周波数は最大４４．１ｋＨｚであり、ここでｆｓ周波数変換されたデジタルＡｕｄｉｏデータのｆｓ周波数は３８．７ｋＨｚなので、ｆｓ周波数変換されたデジタルＡｕｄｉｏデータがデジタル−アナログ変換部７でアナログＡｕｄｉｏ信号に変換され、スピーカ８より再生される（Ｓ１０８）。
【００３５】
また、本発明を応用する事で、音楽や音声再生時のピッチを自由に速くしたり遅くしたりする事も可能になる。
これまでは、デジタルＡｕｄｉｏコンテンツ２０を精度良く再生する方法を説明してきたが、この場合は、音楽や音声再生に必要なマスタクロックとデジタルＡｕｄｉｏデータのｆｓ周波数を、携帯電話に最低限必要とされるシステムクロックから生成する事で、マスタクロックとｆｓ周波数変換されたデジタルＡｕｄｉｏデータのｆｓ周波数の誤差を限りなく小さくする事で、精度良い音楽や音声の再生を可能とするものであった。
【００３６】
任意にマスタクロックとデジタルＡｕｄｉｏデータのｆｓ周波数を生成する事が可能であるとするならば、意図的にマスタクロックとデジタルＡｕｄｉｏデータのｆｓ周波数を異なる値になるように生成すれば、デジタルＡｕｄｉｏコンテンツ再生時のピッチを高くしたり低くしたり、またテンポを速くしたり遅くしたりする事が可能となる。
従来までの携帯電話の動画コンテンツに含まれる音楽のｆｓ周波数と、地上波デジタルテレビ放送で放送される音楽のｆｓ周波数は、必ずしも一致しているとは限らない。そのため、地上波デジタルテレビ放送受信機能を内蔵した携帯電話では、各々のコンテンツを再生する場合、各アプリケーションで再生可能なｆｓ周波数を１種類に固定したとしても、アプリケーション毎に再生する音楽のｆｓ周波数が異なっているため、その結果、これまで述べてきた様な、複数の異なるｆｓ周波数の音楽再生を行なう必要が生じる。
【００３７】
この様な場合でも、本発明を使う事で、端末装置の大型化を抑え、且つコストアップさせる事無く、各アプリケーションにおける音楽再生を行なう事ができる。
【００３８】
本発明では、携帯端末装置のシステムを動作させるために最低限必要なシステムクロックを単純な逓倍や分周によって手間をかけずにマスタクロックを生成し、このマスタクロックより生成可能なｆｓ周波数にデジタルＡｕｄｉｏデータを変換して、ｆｓ周波数変換後のデジタルＡｕｄｉｏデータをデジタル−アナログ変換部で再生するため、
各ｆｓ周波数再生用のマスタクロックを必要とせず、クロック発振器や複雑なクロック生成回路無しに、いかなるｆｓ周波数でサンプリングされたデジタルＡｕｄｉｏデータを容易に再生する事が可能となる。
【００３９】
更に、ユーザーが任意にマスタクロックとデジタルＡｕｄｉｏデータのｆｓ周波数を生成できる事で、意図的にマスタクロックとデジタルＡｕｄｉｏデータのｆｓ周波数を異なる値になるように生成する事で、音楽や音声を再生する際に、自由に再生音（曲）のピッチを高くしたり低くしたり、またトーンを上げたり下げたりする事が可能となるので、ボイスチェンジャー機能等を実現する事が可能となる。
【００４０】
本発明では、システムクロックで生成可能なマスタクロックとｆｓ周波数に合わせて、コンテンツのｆｓ周波数を変換して再生するため、地上波デジタルテレビ放送受信機能を内蔵した携帯電話において、地上波デジタルテレビ放送での音楽と動画機能での音楽の各々のｆｓ周波数が異なっていたとしても、マスタクロック生成用の水晶発振器やクロック生成回路の追加無しに、端末のサイズを維持したまま両アプリケーションの再生が可能となる。
【図面の簡単な説明】
【００４１】
【図１】第１の実施例、及び第２の実施例を示す携帯端末装置のブロック構成図である。
【図２】第１の実施例、及び第２の実施例におけるデジタルＡｕｄｉｏデータのデータ構成を示す一例である。
【図３】第１の実施例、及び第２の実施例を示す携帯端末装置の動作シーケンスを示す一例である。
【符号の説明】
【００４２】
１…アンテナ、２…無線部、３…制御部、４…メモリ部、５…キー入力部、６…システムクロック、７…デジタル−アナログ変換部、８…スピーカ、１０…マスタクロック生成部、１１…ｆｓ周波数変換部、１２…Ａｕｄｉｏインタフェース、１３…デコーダ、２０…デジタルＡｕｄｉｏコンテンツ、２１…ヘッダ情報、２２…デジタルＡｕｄｉｏデータ、２３…ｆｓ周波数情報、２４…データフォーマット情報、２５…データ長情報、３０…シリアルインタフェース、３１…ＳＹＮＣ信号、３２…ＣＬＫ信号、３３…Ｄａｔａ信号、３４…マスタクロック信号
【図１】
2005151486.tif 000003
【図２】
2005151486.tif 000004
【図３】
2005151486.tif 000005